(57)【要約】      （修正有）【課題】学用品を収納した状態で引き出すことができるとともに、机を持ち上げて移動する際に収容部からの滑り落ちを防止することが可能な道具箱を提供する。【解決手段】道具箱１は学用品を収納する収納部１０と、収納部を閉蓋する蓋部２０と、を備え、収納部及び蓋部は、２個の磁石３０を内設する。２個の磁石は、机の収容部に対して所定の傾斜角で傾斜しても滑り落ちない程度の吸着力を有する。さらに、収納部及び蓋部に内設された２個の磁石は、奥行方向にそれぞれ異なる位置に配置される。【選択図】図１
0003234199.tif 000002
【実用新案登録請求の範囲】
【請求項１】
道具箱は、学用品を収納する収納部と、前記収納部を閉蓋する蓋部と、を備え、
前記収納部及び前記蓋部は、磁石を内設することを特徴とする道具箱。
【請求項２】
収納部は、上方に開口した有底の箱状体であり、略方形状の底面部と、前記底面部の左右方向の側縁から立設した側面部と、前記底面部の正面側の側縁から立設した正面部と、前記底面部の背面側の側縁から立設した背面部と、を有し、
前記側面部は、前記正面部及び前記背面部を固定する固定片を有し、
前記底面部は、前記背面部側の角部近傍に磁石を内設していることを特徴とする請求項１記載の道具箱。
【請求項３】
蓋部は、収納部に対して着脱自在に閉蓋しうるように、下方に開口した箱状体であり、略方形状の天面部と、前記天面部の左右方向の側縁から立設した側面部と、前記天面部の正面側の側縁から立設した正面部と、前記天面部の背面側の側縁から立設した背面部と、を有し、
前記側面部は、前記正面部及び前記背面部を固定する固定片を有し、
前記天面部は、前記背面部側の角部近傍に磁石を内設していることを特徴とする請求項１記載の道具箱。
【請求項４】
磁石は、机の収容部に対して所定の傾斜角で傾斜しても滑り落ちない程度の吸着力を有することを特徴とする請求項１ないし３のいずれか一項に記載の道具箱。
【請求項５】
収納部及び蓋部に内設された磁石は、奥行方向にそれぞれ異なる位置に配置されることを特徴とする請求項１ないし４のいずれか一項に記載の道具箱。
【考案の詳細な説明】
【技術分野】
【０００１】
本考案は、学用品を収納する道具箱に関するものである。
【背景技術】
【０００２】
従来、道具箱は、筆箱、教科書、ノート、定規、コンパスなどの学用品を収納して持ち運ぶことができるとともに、学校の教室に備えられた机の天板下に設けられた収容部に収容して引き出しとして兼用するものである（例えば特許文献１参照）。
【先行技術文献】
【特許文献】
【０００３】
【特許文献１】実用新案登録第３１３００３７号
【考案の概要】
【考案が解決しようとする課題】
【０００４】
しかしながら、従来の道具箱を引き出しとして使用する場合、机を持ち上げて移動させる際に収容部が傾斜して、収容部から道具箱が滑り落ち、道具箱が破損してしまう欠点があった。
【０００５】
そのため、学用品を収納した状態で引き出すことができるとともに、机を持ち上げて移動する際に収容部からの滑り落ちを防止することが可能な道具箱が望まれている。
【０００６】
本考案は、上記課題に鑑み、道具箱は、学用品を収納する収納部と、前記収納部を閉蓋する蓋部と、を備え、
前記収納部及び前記蓋部は、磁石を内設することを特徴とするものである。
【０００７】
また、上述した構成に加え、収納部は、上方に開口した有底の箱状体であり、略方形状の底面部と、前記底面部の左右方向の側縁から立設した側面部と、前記底面部の正面側の側縁から立設した正面部と、前記底面部の背面側の側縁から立設した背面部と、を有し、
前記側面部は、前記正面部及び前記背面部を固定する固定片を有し、
前記底面部は、前記背面部側の角部近傍に磁石を内設していることが好ましい。
【０００８】
また、上述した構成に加え、蓋部は、収納部に対して着脱自在に閉蓋しうるように、下方に開口した箱状体であり、略方形状の天面部と、前記天面部の左右方向の側縁から立設した側面部と、前記天面部の正面側の側縁から立設した正面部と、前記天面部の背面側の側縁から立設した背面部と、を有し、
前記側面部は、前記正面部及び前記背面部を固定する固定片を有し、
前記天面部は、前記背面部側の角部近傍に磁石を内設していることが好ましい。
【０００９】
また、上述した構成に加え、磁石は、机の収容部に対して所定の傾斜角まで滑り落ちない程度の吸着力を有することが好ましい。
【００１０】
また、上述した構成に加え、収納部及び蓋部に内設された磁石は、奥行方向に異なる位置に配置されることが好ましい。
【考案の効果】
【００１１】
上述した本考案によれば、学用品を収納した状態で引き出すことができるとともに、机を持ち上げて移動する際に収容部に対して所定の傾斜角までの滑り落ちを防止することができる道具箱を提供することが可能である。
【図面の簡単な説明】
【００１２】
【図１】本考案の実施形態に係る道具箱の一例を示す斜視図であり、鎖線部分は収納部及び蓋部に内設された磁石を示すものである。
【図２】図１のＡ−Ａ線断面図である。
【図３】図１の道具箱の収納部及び蓋部を上方に開口するように並列に配置して引き出しとした状態を示す斜視図である。
【図４】図３の収納部及び蓋部を収容部に収容した後、所定の傾斜角で傾斜させた状態を示す側面方向から見た概念図である。
【考案を実施するための形態】
【００１３】
本考案の実施形態について図１―４に基づいて詳細に説明する。なお、本実施形態における学校の教室に備えつけられた机２は、天板３は木製であり、収容部４及び脚５はスチールなどの金属製からなるものである。
【００１４】
（実施形態）
道具箱１は、図１、２に示すように、学用品６を収納する収納部１０と、収納部１０を閉蓋する蓋部２０と、を備え、収納部１０及び蓋部２０は、磁石３０、３０を内設するものである。
【００１５】
収納部１０は、上方に開口した有底の箱状体であり、略方形状の底面部１１と、底面部１１の左右方向の側縁から立設した側面部１２、１２と、底面部１１の正面側の側縁から立設した正面部１３と、底面部１１の背面側の側縁から立設した背面部１４と、を有し、側面部１２、１２は、正面部１３及び背面部１４とをカシメ１２ｂによって固定する固定片１２ａ、１２ａを有する。この底面部１１は、背面部１４側の角部近傍に磁石３０、３０を内設している。
【００１６】
蓋部２０は、収納部１０に対して着脱自在に閉蓋しうるように、収納部１０より一回り大きく、下方に開口した箱状体であり、略方形状の天面部２１と、天面部２１の左右方向の側縁から立設した側面部２２、２２と、天面部２１の正面側の側縁から立設した正面部２３と、天面部２１の背面側の側縁から立設した背面部２４と、を有し、側面部２２、２２は、正面部２３及び背面部２４とをカシメ２２ｂを固定する固定片２２ａ、２２ａを有する。この天面部２１は、背面部２４側の角部近傍に磁石３０、３０を内設している。
【００１７】
収納部１０及び蓋部２０は、図３に示すように、側面部１２、２２の固定片１２ａ、２２ａに対して、それらの正面部１３、２３の中央付近が低く形成して段差による引手部４０が設けられており、手を掛けて引き出すことを容易にしている。
【００１８】
磁石３０、３０は、机２の収容部４に並列して収容された収納部１０及び蓋部２０に学用品６を収納した状態において、収容部４に対して引き出すことができるとともに、収容部４が斜め上方の所定の傾斜角θまで傾斜しても滑り落ちない適度な吸着力を有する。
【００１９】
また、蓋部２０及び収納部１０に内設された磁石３０、３０は、蓋部２０に対して収納部１０を上方に開口させたまま重ねる際に、収納部１０の底面部１１と蓋部２０の天面部２１とが密接するため、重ねる動作を磁力による反発によって妨げないように、奥行方向にそれぞれ異なる位置に配置する。
【００２０】
上述した道具箱１の収納部１０及び蓋部２０は、より具体的には、プラスチック等の合成樹脂製のものに比べ、割れにくい硬質の紙材であるボール紙を主体として折曲形成するとともに、側面部１２、２２の固定片１２ａ、２２ａと、正面部１３、２３及び背面部１４、２４と、をそれぞれカシメ１２ｂ、２２ｂによって固定して形成した箱状体としたものであり、この収納部１０及び蓋部２０は、一般的な机２の収容部４に収まる程度のサイズであり、学校指定サイズである約２３ｃｍ程度の横幅、約６ｃｍ程度の高さ、約３０ｃｍ程度の奥行幅Ｄ以下とすることが好適である。
【００２１】
このとき、収納部１０及び蓋部２０は、約１．５ｋｇ程度の学用品６を収納した状態において、机２の収容部４の最大の傾斜角θが約２０度程度まで傾斜しても滑り落ちない吸着力を発揮するために、少なくとも約２２ｍｍ程度の横幅、約６ｍｍ程度の縦幅、約１．５ｍｍ程度の厚みの直方体形状のネオジム磁石を内設することが最も好適である。
【００２２】
したがって、上述した道具箱１によって、学用品６を収納した状態でも引き出すことができるとともに、机２を持ち上げて移動する際に所定の傾斜角θまで傾斜した状態の収容部４からの滑り落ちを防止することが可能である。
【００２３】
また、磁石３０、３０は、収納部１０及び蓋部２０に内設させることで、引き出し動作を繰り返し行っても脱落することなく、磁石３０、３０と収容部４の間に収納部１０及び蓋部２０の厚みによる間隔、より具体的には、磁石３０、３０の下面と机２の収容部４の上面との間に、収納部１０及び蓋部２０を構成するボール芯を介することで、約０．２ｍｍ程度の間隔が設けられ、学童でも引き出しやすい吸着力にすることが可能である。
【００２４】
上記の実施形態では本考案の好ましい実施形態を例示したが、本考案は上記の実施形態に限定されるものではなく、実用新案登録請求の範囲に記載した範囲内で改善や変更が可能である。例えば、紙製の収納部１０及び蓋部２０の固定片１２ａ、２２ａは、カシメ１２ｂ、２２ｂによって固定しているものを例示したが、接着剤等で接着固定してもよい。
【符号の説明】
【００２５】
１…道具箱、
１０…収納部、１１…底面部、１２…側面部、１２ａ…固定片、１２ｂ…カシメ、
１３…正面部、１４…背面部、
２０…蓋部、２１…天面部、２２…側面部、２２ａ…固定片、２２ｂ…カシメ、
２３…正面部、２４…背面部、
３０…磁石、
４０…引手部、
２…机、３…天板、４…収容部、５…脚、６…学用品、
θ…傾斜角、Ｄ…奥行幅
【図１】
0003234199.tif 000003
【図２】
0003234199.tif 000004
【図３】
0003234199.tif 000005
【図４】
0003234199.tif 000006